(57)【要約】      （修正有）【課題】引込ポールを立設する際の接地抵抗を容易に低下させることができるようにした引込ポールを提供する。【解決手段】引込ポール１は、支柱９とこの支柱９の先端に設けられる先端取付具５とを備え、先端取付具５は地中導入部１０と支柱保持部１１と、これら地中導入部１０と支柱保持部１１との間に設けられたスペーサ１２とを備え、下端の下側から被せられるカップ状の地中導入部１０はアース線取付部２６を備え、このアース線取付部２６にアース線８が取付けられる。【選択図】図３
2008267000.tif 000002
【特許請求の範囲】
【請求項１】
引込線を引き込むための引込ポールであって、
パイプ状の支柱と、この支柱の下端に下側から被せられるカップ状の地中導入部とを備え、
前記地中導入部はアース線取付部を備え、このアース線取付部にアース線が取付けられることを特徴とする引込ポール。
【請求項２】
前記アース線取付部は、前記地中導入部の下端から下方へ向けてくさび形に突出する突起状に形成されていることを特徴とする請求項１に記載の引込ポール。
【請求項３】
前記地中導入部は、前記支柱内に下方から差し込まれる支柱保持部を上部に備え、この支柱保持部を前記支柱内に支柱の下方から着脱自在に差し込むことで、前記支柱保持部は支柱内に弾性的に保持されることを特徴とする請求項１又は請求項２に記載の引込ポール。
【請求項４】
前記支柱保持部の上部は、スコップ形状の土砂の清掃部となっていることを特徴とする請求項１乃至請求項３の何れか１項に記載の引込ポール。
【請求項５】
前記引込線は、電力線、通信線であることを特徴とする請求項１乃至請求項４の何れか１項に記載の引込ポール。
【請求項６】
前記アース線取付部は、約１メートルから１．５メートルの深さに埋設されることを特徴とする請求項１乃至請求項５の何れか１項に記載の引込ポール。
【発明の詳細な説明】
【技術分野】
【０００１】
本発明は、電力線、通信線等の引込線を引き込むための引込ポールに関するものである。
【背景技術】
【０００２】
図７は背景技術の引込ポールを示す。図７は引込ポールを仮設用引込ポールとして用いた場合を示す。仮設用引込ポール１００は電力線１０１を引き込んで、工事用の電動器具が連結される配電盤１０２を取付けるためのポールである。この仮設用引込ポール１００は、筒状に形成されている。配電盤１０２には、電動器具に電力を供給するためのコードが差し込まれるアース付きコンセントが設けられている。
又、前記配電盤１０２はアース線１０３がアース棒１０４に連結されることによって、アースされている。このアース棒１０４は、手による打設によって地中に差し込まれるものである。アース線１０３はパイプＰによって保護されている。
【発明の開示】
【発明が解決しようとする課題】
【０００３】
ところで、前記配電盤１０２とアースとの間を５００Ω以下にすることが推奨されている。このため、前記ポール１００とは別体のアース棒１０４を深く打ち込んだり、又は、複数のアース棒で接地することによって、前記配電盤１０２とアースとの間を５００Ω以下にすることが行われていた。このため、配電盤１０２とアースとの間を５００Ω以下にするための作業が面倒であるという問題があった。
【０００４】
又、前記ポール１００の下端は、筒状のままに開口しているため、ポール１００を地中に打ち込んだ際にポール１００の下端に土砂がつまっていた。このため、このポール１００を仮設用に用いる場合には、このポール１００の再使用に際して、ポール１００の下端内に詰まっている土砂を取り除くための作業が大変であった。
【０００５】
このため、面倒な作業を必要とすることなく、引込ポールを立設する際の接地抵抗を容易に５００Ω以下にできるようにすることが従来から望まれていた。
【０００６】
本発明は、前記背景技術に鑑みてなされたもので、その目的は、引込ポール内への土砂の浸入を防止できる上に、引込ポールを立設する際の接地抵抗を容易に５００Ω以下にすることができるようにした引込ポールを提供することを目的とするものである。
【課題を解決するための手段】
【０００７】
請求項１に記載の発明は、引込線を引き込むための引込ポールであって、
パイプ状の支柱と、この支柱の下端に下側から被せられるカップ状の地中導入部とを備え、
地中導入部はアース線取付部を備え、このアース線取付部にアース線が取付けられることを特徴とするものである。
【０００８】
請求項２に記載の発明は、請求項１に記載の引込ポールにおいて、前記アース線取付部は、前記地中導入部の下端から下方へ向けてくさび形に突出する突起状に形成されていることを特徴とするものである。
【０００９】
請求項３に記載の発明は、請求項１又は請求項２に記載の引込ポールにおいて、
地中導入部は、支柱内に下方から差し込まれる支柱保持部を上部に備え、この支柱保持部を支柱内に支柱の下方から着脱自在に差し込むことで、支柱保持部は支柱内に弾性的に保持されることを特徴とするものである。
【００１０】
請求項４に記載の発明は、請求項１乃至請求項３の何れか１項に記載の引込ポールにおいて、前記支柱保持部の上部は、スコップ形状の土砂の清掃部となっていることを特徴とするものである。
【００１１】
請求項５に記載の発明は、請求項１乃至請求項４の何れか１項に記載の引込ポールにおいて、前記引込線は、電力線、通信線であることを特徴とするものである。
【００１２】
請求項６に記載の発明は、請求項１乃至請求項５の何れか１項に記載の引込ポールにおいて、アース線取付部を、１メートルから１．５メートルの深さに埋設することを特徴とするものである。
【発明の効果】
【００１３】
請求項１に記載の発明によれば、アース線取付部は、支柱の最下端に支柱と一体化して設けられているため、支柱の自重によって、周囲の土砂に更に強く押し付けられることによって、周囲の土砂との間に隙間が生じることがないため、接地抵抗を小さくすることができる。又、支柱の最下端は地中導入部で覆われているため、支柱内への土砂の浸入が防止されて、支柱を掃除する手間が不要となり、容易に再使用の準備をすることができる。
【００１４】
請求項２に記載の発明によれば、アース線取付部がくさび形に形成されていることによって、アース線取付部は地中に食い込むようにして地中に隙間無く密に接触することになって、アース線取付部と地中との間の接地抵抗を小さくすることができる。
【００１５】
請求項３に記載の発明によれば、引込ポールを弾性的に組み立てることができる。
【００１６】
請求項４に記載の発明によれば、支柱に付着している土砂（どろ等）を土砂の清掃部で容易に掻き落とすことができる。
【００１７】
請求項５に記載の発明によれば、引込線として、電力線、通信線を引き込む場合に用いることができる。
【００１８】
請求項６に記載の発明によれば、アース線取付部は、１メートルから１．５メートルの深さに埋設されることで、接地抵抗を更に低下させることができる。
【発明を実施するための最良の形態】
【００１９】
図１乃至図５は第１実施形態を示す。この第１実施形態は、引込ポール１を仮設用に用いた場合を示す。図１は、引込ポール１の地上部分の外観を示す。図２は引込ポール１を立設した状態を示す。図３は引込ポール１の下端に設けられる先端取付具５の斜視図を示す。図４は、図３の右側面図を示す。図５は図４のＡ―Ａ線断面図を示す。
【００２０】
図１に示すように、引込ポール１は引込線６を引き込むためのポールである。引込線６としては電力線、通信線が該当する。この第１実施形態は工事用に用いる電力線６を引き込む場合について説明する。引込ポール１の途中には、配電盤３が取り付けられて、電力線６が連結されている。
【００２１】
図２に示すように、配電盤３には工事用の電動器具のコード７が接続されるアース付きコンセントが設けられて、この電動器具に電力に供給できるようになっている。又、配電盤３のアース端子にはアース線８が接続されている。
【００２２】
前記引込ポール１は、図３に示すように、支柱９とこの支柱９の先端に設けられる前記先端取付具５とを備えた構成になっている。先端取付具５の外観は図３に示す。図３中、支柱９は一点鎖線で示す。
【００２３】
前記支柱９は、パイプ状の形状をしている。支柱９は鋼管によって形成されている。支柱９は、例えば、二本のパイプ状の鋼管を上下二段に連結して形成しても良いが、一本のパイプ状の鋼管で形成しても良い。
【００２４】
図３乃至図５に示すように、先端取付具５は、地中導入部１０と支柱保持部１１とこれら地中導入部１０と支柱保持部１１との間に設けられたスペーサ１２とを備えた構造になっている。
【００２５】
地中導入部１０は、支柱９の下端に設けられて、支柱９が地中内に打ち込まれ易く案内でき、且つ、支柱９内に土砂が浸入する現象を防止するものである。図５に示すように、地中導入部１０は、筒部１３の上側が開放し、下側が半球状の底部１４によって閉塞したカップ状に形成されている。底部１４には、ボルト貫通孔が形成されている。この地中導入部１０は樹脂で形成されている。
【００２６】
図５に示すように、前記支柱保持部１１は、筒部１５の上側が開放し、下側が平板状の底部１６によって閉塞した形状に形成されている。この支柱保持部１１は、上方へ向けて拡径するラッパ状に形成されている。支柱保持部１１の上部は、図３、図４に示すように、スコップ状の土砂の清掃部１７になっている。支柱保持部１１の底部１６には、ボルト貫通孔が形成されている。この支柱保持部１１はステンレスで形成されている。
【００２７】
図４は前記支柱保持部１１の上部の側面を示す。同図４に示すように、支柱保持部１１の上側を同図に示すように、湾曲面１８で切り欠くことによって前記土砂の清掃部１７をスコップ状に形成することができる。
【００２８】
図５に示すように、前記支柱保持部１１と前記地中導入部１０とを貫通するように連結ボルト１９を設ける。この連結ボルト１９は鋼材によって形成されている。この連結ボルト１９は、前記支柱保持部１１の底部１６に設けられたボルト貫通孔を挿通し、前記地中導入部１０の底部１４に設けられたボルト貫通孔を挿通して設けられている。
【００２９】
連結ボルト１９の上部側は、前記支柱保持部１１の底部１６を上下から挟むように設けられた二つのワッシャ付きナット２０、２１で固定されている。又、連結ボルト１９の下部側は、前記地中導入部１０の底部１４を上下から挟むように設けられた二つのナット２２、２３で固定されている。尚、前記各ワッシャ付きナット２０、２１と前記支柱保持部１１の底部１６との間にはゴムパッキン２４、２５が介在されている。このゴムパッキン２４，２５は絶縁性のため、連結ボルト１９と支柱保持１１との間は、絶縁されている。
【００３０】
前記連結ボルト１９の下部側は、前記地中導入部１０の底部１４を貫通して下方へ延設され、アース線取付部２６がネジ止めされている。このアース線取付部２６は棒状に形成され、上端にフランジ２７が形成され、下側がくさび状になっている。このアース線取付部２６は六角鋼材で形成されて表面積を大きくし、更に、表面は胴メッキ、又は炭素被覆が施されて、接地抵抗が小さくなるようになっている。連結ボルト１９の周囲は、ビニール管Ｂで保護されている。
【００３１】
前記アース線取付部２６のフランジ２７と、前記ナット２３のワッシャ２８との間で挟まれるように、アース線８が取り付けられるものである。
【００３２】
次に、作用について説明する。先ず、図３、図５に示すように、支柱９の下端に先端取付具５を取り付ける。この場合、図５に示すように、支柱９の下方から支柱９の下端内に支柱保持部１１を押し込む。支柱保持部１１は、支柱９の下端を内側から外側へ向けて押し広げるようにして、支柱９内へ押し込まれることで、支柱保持部１１が支柱９の内面にばね力によって接触することによって、支柱９の下側は、支柱保持部１１に弾性的に強く保持される。これによって、引込ポール１の組み立てが完成する。
【００３３】
次に、図３、図５に示すように、アース線８の下端を前記アース線取付部２６とワッシャ２８との間で挟むようにして取り付ける。
【００３４】
次に、引込ポール１を立設する位置の土地に約１メートルから１．５メートル程度の深さの孔を掘る。次に、前記引込ポール１の下端側を前記孔内に挿入するようにして、引込ポール１を立てた後、孔を埋め戻すことによって、図１に示すように、引込ポール１を直立させた状態に立設する。この時、アース線８の上端を地上に露出する。
【００３５】
次に、前記引込ポール１に配電盤３をベルト２９によって取り付ける。そして、前記アース線８をアース付きコンセント、又は、配電盤３のアース端子に接続する。
【００３６】
ところで、アース線８は、図３、図５に示すように、支柱９の先端に設けられたアース線取付部２６に接続されている。この支柱９は、自重が約２３kgから２８kg程度のかなりの重量を有しているため、アース線取付部２６は、この支柱９の大きな自重によって、土砂に強く押し付けられた状態になって、アース線取付部２６と周囲の土砂との間に隙間が発生することなく、アース線取付部２６は、周囲の土砂に密接することになる。又、地表から約１メートル乃至１．５メートルの深さの位置では、地中は常に適度に湿っているため、この点においても、アース線取付部２６の接地抵抗を小さくすることができる。その結果、接地抵抗が小さくなる。
出願人が、実験した結果、この接地抵抗が５００Ω以下になったことが確認された。
【００３７】
以上のように、接地抵抗が小さくなった状態において、図１に示すように、電力線６を引き込んだ後、工事用の電動器具のコードを配電盤３に連結することによって、この電動器具に電力を供給して、工事を実行する。
【００３８】
そして、工事が完了した時に前記仮設用引込ポール１を取り除くのであるが、この場合、仮設用引込ポール１を地上に掘り出した後に、図３に示すように、先端取付具５から支柱９を引き抜くことによって、先端取付具５と支柱９とを分離する。その後、先端取付具５を手に持って、先端取付具５の土砂の清掃部１７で、支柱９の表面に付いている土、砂、泥等を掻き落として、次の使用に備えた状態で、支柱９を収容等する。
【００３９】
又、前記支柱９の下端は、カップ状の地中導入部１０が被されているため、支柱９を地中内に打ち込むに際して、支柱９内に土、砂、泥等が浸入することがない。
【００４０】
尚、前記第１実施形態においては、アース線８をアース線取付部２６に接続したが、図５中、一点鎖線で示すように、アース線８を支柱保持部１１内において連結ボルト１９の上端部に接続することも可能である。この場合、アース線８は支柱９内を通して連結ボルト１９の上端に連結されるため、アース線８を保護するためのパイプＰ（図１，図２に示す）が不要となる。
【００４１】
図６は、第２実施形態を示す。第１実施形態と比較して、この第２実施形態の特徴は、先端取付具５が地中導入部１０のみを備え、図１乃至図５に示す支柱保持部１１、及びスペーサ１２を備えていない点にある。
【００４２】
前述の図１乃至図５に示す第１実施形態の引込ポール１は仮設用に用いられるものであるのに対し、この第２実施形態の引込ポール１は常設用に用いられるものである。尚、この第２実施形態においても、図６中、一点鎖線で示すように、アース線８は、地中導入部１０内において連結ボルト１９の上端部に接続することも可能である。
【００４３】
尚、前記実施形態は、引込線として電力線に適用した場合について説明したが、引き込み線として通信線に適用することも元論可能である。
【図面の簡単な説明】
【００４４】
【図１】図１は、引込ポールの地上部分の外観図である。（第１実施形態）
【図２】図２は、引込ポールが立設された状態を示す図である。（第１実施形態）
【図３】図３は、引込ポールの下端に設けられる先端取付具の斜視図を示す。（第１実施形態）
【図４】図４は、図３の右側面図である。（第１実施形態）
【図５】図５は、図４のＡ―Ａ線断面図を示す。（第１実施形態）
【図６】図６は第２実施形態を示す。（第２実施形態）
【図７】図７は背景技術の引込ポールの地上部分の外観図である。
【符号の説明】
【００４５】
１  引込ポール
３  配電盤
５  先端取付具
６  引込線
８  アース線
９  支柱
１０  地中導入部
１１  支柱保持部
１９  連結ボルト
２６  アース線取付部
【図１】
2008267000.tif 000003
【図２】
2008267000.tif 000004
【図３】
2008267000.tif 000005
【図４】
2008267000.tif 000006
【図５】
2008267000.tif 000007
【図６】
2008267000.tif 000008
【図７】
2008267000.tif 000009